(57)【要約】  本発明の一実施例によるバッテリーモジュールは、積層されて相互に電気的に接続されるバッテリーセルと、バッテリーセルの一対の電極リードが突出する部分をカバーし、バッテリーセルの積層方向に沿って配置されるセルカートリッジと、複数個のセルカートリッジに各々設けられ、各々の電極リードと電気的に接続し、少なくとも一側に積層方向に沿って突出するガイドカップリングを備えるブロックバスバーと、を含むことを特徴とする。
2021501448.tif 000002
【特許請求の範囲】
【請求項１】
バッテリーモジュールであって、
積層されて相互に電気的に接続される複数個のバッテリーセルと、
前記複数個のバッテリーセルの一対の電極リードの突出部分をカバーし、前記複数個のバッテリーセルの積層方向に沿って配置される複数個のセルカートリッジと、
前記複数個のセルカートリッジに各々設けられ、各々の電極リードと電気的に接続し、少なくとも一側に前記積層方向に沿って突出するガイドカップリングを備える複数個のブロックバスバーと、を含むことを特徴とするバッテリーモジュール。
【請求項２】
前記複数個のブロックバスバーが、前記複数個のセルカートリッジの長手方向に沿って所定の長さで形成され、
前記ガイドカップリングが、前記複数個のブロックバスバーの一端部に設けられることを特徴とする請求項１に記載のバッテリーモジュール。
【請求項３】
前記ガイドカップリングは、
前記複数個のセルカートリッジの積層時、前記積層方向において対向するブロックバスバーのガイドカップリングと相互に結合することを特徴とする請求項１又は２に記載のバッテリーモジュール。
【請求項４】
前記複数個のブロックバスバーのガイドカップリングが、
前記積層方向の一側へ突出する雄カップリングと、
前記雄カップリングと結合できるように前記積層方向の他側へ突出する雌カップリングと、を含むことを特徴とする請求項３に記載のバッテリーモジュール。
【請求項５】
前記複数個のブロックバスバーのガイドカップリングは、
前記積層方向の両側へ共に突出し、外部電源などと接続するためのバイカップリングをさらに含むことを特徴とする請求項１から４のいずれか一項に記載のバッテリーモジュール。
【請求項６】
前記バイカップリングは、
前記複数個のセルカートリッジの最外郭に配置されるセルカートリッジに備えられるブロックバスバーに設けられることを特徴とする請求項５に記載のバッテリーモジュール。
【請求項７】
前記複数個のバッテリーセルは、各々、
電極組立体と、
前記電極組立体を収容する電池ケースと、
前記電池ケースの両側端部から突出し、前記電極組立体と電気的に接続する前記一対の電極リードと、を含み、
前記複数個のセルカートリッジは、各々、
前記一対の電極リードが突出されている前記電池ケースの両側端部に装着されることを特徴とする請求項１から６のいずれか一項に記載のバッテリーモジュール。
【請求項８】
前記電池ケースは、
前記電極組立体を収容するための収容空間が設けられるケース本体と、
前記ケース本体の両側端部から延び、前記一対の電極リードが突出されているケーステラスと、を含み、
前記複数個のセルカートリッジは、各々、
前記一対の電極リード及び前記ケーステラスを支持することを特徴とする請求項７に記載のバッテリーモジュール。
【請求項９】
前記複数個のセルカートリッジの一面には、
前記一対の電極リード及び前記ケーステラスを収容するための収容溝が形成されることを特徴とする請求項８に記載のバッテリーモジュール。
【請求項１０】
前記収容溝には、
各々のブロックバスバーが据え付けられるバスバー据付け部が備えられることを特徴とする請求項９に記載のバッテリーモジュール。
【請求項１１】
請求項１に記載の少なくとも一つのバッテリーモジュールと、
前記少なくとも一つのバッテリーモジュールをパッケージングするためのパックケースと、を含む、バッテリーパック。
【請求項１２】
請求項１１に記載の少なくとも一つのバッテリーパックを含む、自動車。
【発明の詳細な説明】
【技術分野】
【０００１】
本発明は、バッテリーモジュール、これを含むバッテリーパック及びこのバッテリーパックを含む自動車に関する。
【０００２】
本出願は、２０１８年７月３日出願の韓国特許出願第１０−２０１８−００７７３００号に基づく優先権を主張し、該当出願の明細書及び図面に開示された内容は、すべて本出願に組み込まれる。
【背景技術】
【０００３】
製品群に応じた適用性が高く、且つ、高いエネルギー密度などの電気的特性を有する二次電池は、携帯用機器だけでなく、電気的駆動源によって駆動する電気自動車（ＥＶ、Ｅｌｅｃｔｒｉｃ Ｖｅｈｉｃｌｅ）またはハイブリッド自動車（ＨＥＶ、Ｈｙｂｒｉｄ  Ｅｌｅｃｔｒｉｃ  Ｖｅｈｉｃｌｅ）などに普遍的に適用されている。このような二次電池は、化石燃料の使用を画期的に減少できるという一次的な長所だけでなく、エネルギー使用に伴う副産物が全く生じないという点で、環境にやさしく、エネルギー効率が向上できることから、新しいエネルギー源として注目を集めている。
【０００４】
現在、広く使用される二次電池の種類としては、リチウムイオン電池、リチウムポリマー電池、ニッケルカドミウム電池、ニッケル水素電池、ニッケル亜鉛電池などがある。このような単位二次電池セル、即ち、単位バッテリーセルの作動電圧は約２．５Ｖ〜４．５Ｖである。したがって、これよりさらに高い出力電圧が要求される場合、複数のバッテリーセルを直列接続してバッテリーパックを構成する。また、バッテリーパックに要求される充放電容量によって複数のバッテリーセルを並列接続してバッテリーパックを構成し得る。したがって、前記バッテリーパックに含まれるバッテリーセルの数は、要求される出力電圧または充放電容量によって多様に設定可能である。
【０００５】
なお、複数のバッテリーセルを直列・並列接続してバッテリーパックを構成する場合、少なくとも一つのバッテリーセルを含むバッテリーモジュールを先に構成し、このような少なくとも一つのバッテリーモジュールを用いてその他の構成要素を追加してバッテリーパックを構成する方法が一般的である。
【０００６】
このような従来のバッテリーモジュールは、通常、バッテリーセルをセルカートリッジに装着してセルカートリッジを積層した後、またはバッテリーセルのみを相互積層した後、バッテリーセルの電気的な接続のための電極リードとバスバーとの溶接結合が行われる。従来、このような溶接結合において、積層されたバッテリーセルの対向する電極リードは、曲げ工程によって所定の形状に先に曲げられてからバスバーと溶接結合していた。
【０００７】
しかし、このようなセルカートリッジの積層、またはバッテリーセルの積層後におけるバッテリーセルの電極リードとバスバーとの溶接結合が行われる従来のモジュール組立工程の場合、セルカートリッジやバッテリーセルの積層時にアライメント誤差が発生すれば、バスバーと電極リードとの組立性及び溶接性が低下するという問題がある。
【０００８】
また、従来のバッテリーモジュールの場合、電極リードとバスバーとの溶接結合前、対向する電極リードの曲げ工程を優先的に行わなければならなかったので、全体としてモジュール組立工程の効率が低下するという問題があった。
【発明の概要】
【発明が解決しようとする課題】
【０００９】
本発明は、組立工程の効率を高めることができるバッテリーモジュール、これを含むバッテリーパック及びこのバッテリーパックを含む自動車を提供することを目的とする。
【００１０】
また、本発明は、電極リードとバスバーとの電気的接続のための溶接時において、溶接性が改善できるバッテリーモジュール、これを含むバッテリーパック及びこのバッテリーパックを含む自動車を提供することを他の目的とする。
【課題を解決するための手段】
【００１１】
上記の課題を達成するため、本発明は、バッテリーモジュールであって、積層されて相互に電気的に接続される複数個のバッテリーセルと、前記複数個のバッテリーセルの一対の電極リードの突出部分をカバーし、前記複数個のバッテリーセルの積層方向に沿って配置される複数個のセルカートリッジと、前記複数個のセルカートリッジに各々設けられ、各々の電極リードと電気的に接続し、少なくとも一側に前記積層方向に沿って突出するガイドカップリングを備える複数個のブロックバスバーと、を含むことを特徴とするバッテリーモジュールを提供する。
【００１２】
前記複数個のブロックバスバーは、前記複数個のセルカートリッジの長手方向に沿って所定の長さで形成され、前記ガイドカップリングが、前記複数個のブロックバスバーの一端部に設けられ得る。
【００１３】
前記ガイドカップリングは、前記複数個のセルカートリッジの積層時、前記積層方向において対向するブロックバスバーのガイドカップリングと相互に結合し得る。
【００１４】
前記複数個のブロックバスバーのガイドカップリングは、前記積層方向の一側へ突出する雄カップリングと、前記雄カップリングと結合できるように前記積層方向の他側へ突出する雌カップリングと、を含み得る。
【００１５】
前記複数個のブロックバスバーのガイドカップリングは、前記積層方向の両側へ共に突出し、外部電源などと接続するためのバイカップリングをさらに含み得る。
【００１６】
前記バイカップリングは、前記複数個のセルカートリッジの最外郭に配置されるセルカートリッジに備えられるブロックバスバーに設けられ得る。
【００１７】
前記複数個のバッテリーセルは、各々、電極組立体と、前記電極組立体を収容する電池ケースと、
前記電池ケースの両側端部から突出し、前記電極組立体と電気的に接続する前記一対の電極リードと、を含み、前記複数個のセルカートリッジは、各々、前記一対の電極リードが突出されている前記電池ケースの両側端部に装着され得る。
【００１８】
前記電池ケースは、前記電極組立体を収容するための収容空間が設けられるケース本体と、前記ケース本体の両側端部から延び、前記一対の電極リードが突出されているケーステラスと、を含み、前記複数個のセルカートリッジは、各々、前記一対の電極リード及び前記ケーステラスを支持できる。
【００１９】
前記複数個のセルカートリッジの一面には、前記一対の電極リード及び前記ケーステラスを収容するための収容溝が形成され得る。
【００２０】
前記収容溝には、各々のブロックバスバーが据え付けられるバスバー据付け部が備えられ得る。
【００２１】
なお、本発明は、バッテリーパックであって、前述の実施例による少なくとも一つのバッテリーモジュールと、前記少なくとも一つのバッテリーモジュールをパッケージングするためのパックケースと、を含むバッテリーパックを提供する。
【００２２】
また、本発明は、自動車であって、前述の実施例による少なくとも一つのバッテリーパックを含む自動車を提供する。
【発明の効果】
【００２３】
以上のような多様な実施例によって、組立工程の効率を高めることができるバッテリーモジュール、これを含むバッテリーパック及びこのバッテリーパックを含む自動車を提供することができる。
【００２４】
また、以上のような多様な実施例によって、電極リードとバスバーとの電気的接続のための溶接時における溶接性が改善できるバッテリーモジュール、これを含むバッテリーパック及びこのバッテリーパックを含む自動車を提供することができる。
【００２５】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００２６】
【図１】本発明の一実施例によるバッテリーモジュールを説明するための図である。
【図２】図１のバッテリーモジュールのバッテリーセルを説明するための図である。
【図３】図１のバッテリーモジュールのセルカートリッジを説明するための図である。
【図４】図１のバッテリーモジュールのブロックバスバーを説明するための図である。
【図５】図１のバッテリーモジュールのブロックバスバーを説明するための図である。
【図６】図１のバッテリーモジュールのブロックバスバーを説明するための図である。
【図７】図１のバッテリーモジュールの組立工程を説明するための図である。
【図８】図１のバッテリーモジュールの組立工程を説明するための図である。
【図９】図１のバッテリーモジュールの組立工程を説明するための図である。
【図１０】図１のバッテリーモジュールの組立工程を説明するための図である。
【図１１】図１のバッテリーモジュールの組立工程を説明するための図である。
【図１２】図１のバッテリーモジュールの組立工程を説明するための図である。
【図１３】図１のバッテリーモジュールの組立工程を説明するための図である。
【図１４】図１のバッテリーモジュールの組立工程を説明するための図である。
【図１５】本発明の一実施例によるバッテリーパックを説明するための図である。
【図１６】本発明の一実施例による自動車を説明するための図である。
【発明を実施するための形態】
【００２７】
以下、添付された図面を参照して本発明の望ましい実施例を詳しく説明する。ここで説明される実施例は、発明の理解を助けるために例示的に示したものであり、本発明は、ここで説明する実施例とは相違に多様に変形して実施できることを理解せねばならない。なお、発明の理解を助けるために、添付の図面は、実際の縮尺ではなく一部構成要素が誇張または省略されるか、概略的に示されることがある。
【００２８】
図１は、本発明の一実施例によるバッテリーモジュールを説明するための図であり、図２は、図１のバッテリーモジュールのバッテリーセルを説明するための図であり、図３は、図１のバッテリーモジュールのセルカートリッジを説明するための図であり、図４〜図６は、図１のバッテリーモジュールのブロックバスバーを説明するための図である。
【００２９】
図１〜図６を参照すれば、バッテリーモジュール１０は、バッテリーセル１００、セルカートリッジ３００及びブロックバスバー５００を含み得る。
【００３０】
前記バッテリーセル１００は、二次電池であって、パウチ型二次電池として設けられ得る。具体的に、前記バッテリーセル１００は、パウチタイプのリチウムポリマー電池であり得る。
【００３１】
このような前記バッテリーセル１００は、複数個が備えられ得る。このような前記複数個のバッテリーセル１００は、積層されて相互に電気的に接続され、各々、電極組立体１１０、電極リード１３０及び電池ケース１５０を含み得る。
【００３２】
前記電極組立体１１０は、正極板、負極板及びセパレーターなどで構成され得る。前記電極組立体１１０についてはよく知られているので、以下、詳しい説明を省略する。
【００３３】
前記電極リード１３０は一対で備えられ、前記一対の電極リード１３０は各々、正極リード及び負極リードからなり得る。このような前記一対の電極リード１３０は、前記電極組立体１１０と電気的に接続し、後述する電池ケース１５０の両側端部、具体的に、後述するケーステラス１５６の両側端部から突出し得る。
【００３４】
前記電池ケース１５０は、樹脂層及び金属層を含むラミネートシートからなり、前記電極組立体１１０を内部に収容し得る。このような前記電池ケース１５０は、ケース本体１５２及びケーステラス１５６を含み得る。
【００３５】
前記ケース本体１５２は、前記電極組立体１１０を収容し得る。このために、前記ケース本体１５２には、前記電極組立体１１０を収容するための収容空間が設けられ得る。
【００３６】
前記ケーステラス１５６は、前記ケース本体１５２の両側端部から延び、そこに前記一対の電極リード１３０が突出され得る。このような前記ケーステラス１５６は、前記ケース本体１５２の内部が密封されるように封止処理され得る。
【００３７】
前記セルカートリッジ３００は、前記複数個のバッテリーセル１００の前記一対の電極リード１３０の突出部分をカバーし得る。このために、前記セルカートリッジ３００は、複数個が備えられ得る。
【００３８】
前記複数個のセルカートリッジ３００は、前記複数個のバッテリーセル１００の積層方向に沿って配置され、前記一対の電極リード１３０が突出されている前記電池ケース１５０の両側端部に装着され得る。
【００３９】
具体的に、前記複数個のセルカートリッジ３００は、前記複数個のバッテリーセル１００の前記電池ケース１５０の前記ケーステラス１５６の一部をカバー可能に、前記ケーステラス１５６に装着され得る。
【００４０】
これによって、前記複数個のセルカートリッジ３００は、各々、前記バッテリーセル１００の前記一対の電極リード１３０及び前記電池ケース１５０の前記ケーステラス１５６を支持できる。
【００４１】
このために、前記複数個のセルカートリッジ３００の一面には、前記一対の電極リード１３０及び前記ケーステラス１５６を収容するための収容溝３１０が形成され得る。
【００４２】
このような前記収容溝３１０には、バスバー据付け部３３０が備えられ得る。
【００４３】
前記バスバー据付け部３３０は、後述する各々のブロックバスバー５００を据え付け、溶接ガイド溝３３２及びカップリング通過溝３３５を含み得る。
【００４４】
前記溶接ガイド溝３３２は、 バッテリーセル１００の前記電極リード１３０と後述するブロックバスバー５００との溶接時、溶接空間を確保して前記溶接による前記セルカートリッジ３００の損傷を防止することができる。
【００４５】
前記カップリング通過溝３３５は、後述するブロックバスバー５００同士の相互結合時、後述するブロックバスバー５００のガイドカップリング５５０、５６０、５７０を通過可能にする。
【００４６】
前記ブロックバスバー５００は複数個が備えられ、前記複数個のセルカートリッジ３００に各々設けられ、前記複数個のバッテリーセル１００の各々の電極リード１３０と電気的に接続し得る。望ましくは、前記ブロックバスバー５００は、金属からなり得る。
【００４７】
前記複数個のブロックバスバー５００は、前記複数個のセルカートリッジ３００の長手方向（図面において前記セルカートリッジ３００の高さ方向）に沿って所定の長さに形成され得る。ここで、前記複数個のブロックバスバー５００は、前記複数個のセルカートリッジ３００の高さ方向で前記複数個のバッテリーセル１００の電極リード１３０よりも長く形成され得る。
【００４８】
このような前記複数個のブロックバスバー５００は、ガイドカップリング５５０、５６０、５７０を含み得る。
【００４９】
前記ガイドカップリング５５０、５６０、５７０は、前記複数個のブロックバスバー５００の少なくとも一側に備えられ、前記バッテリーセル１００及び前記セルカートリッジ３００の積層方向に沿って前記複数個のブロックバスバー５００の少なくとも一側から突出して形成され得る。
【００５０】
具体的に、前記ガイドカップリング５５０、５６０、５７０は、前記複数個のブロックバスバー５００の一端部に設けられ得る。前記ガイドカップリング５５０、５６０は、前記複数個のセルカートリッジ３００の積層時、前記積層方向において対向するブロックバスバー５００のガイドカップリング５６０、５５０と相互結合し得る。
【００５１】
以下、前記複数個のブロックバスバー５００の前記ガイドカップリング５５０、５６０、５７０についてより具体的に説明する。
【００５２】
前記複数個のブロックバスバー５００のガイドカップリング５５０、５６０、５７０は、雄カップリング５５０、雌カップリング５６０及びバイカップリング５７０を含み得る。
【００５３】
前記雄カップリング５５０は、前記ブロックバスバー５００の積層方向のいずれか一側へ突出し得る。このような前記雄カップリング５５０の外面には、後述する雌カップリング５６０との結合性を高めるための結合ガイドリブ５５５が形成され得る。
【００５４】
前記雌カップリング５６０は、前記雄カップリング５５０と結合できるように、前記ブロックバスバー５００の前記積層方向の他側へ突出し得る。このような前記雌カップリング５６０は、前記セルカートリッジ３００の積層時、対向するセルカートリッジ３００に備えられるブロックバスバー５００の雄カップリング５５０と相互結合し得る。
【００５５】
前記バイカップリング５７０は、外部電源などとの接続のためのものであって、前記複数個のセルカートリッジ３００のうち最外郭に配置されるセルカートリッジ３００に備えられ、前記ブロックバスバー５００の積層方向の両側へ共に突出し得る。
【００５６】
以下では、このような本実施例による前記バッテリーモジュール１０の組立工程についてより具体的に説明する。
【００５７】
図７〜図１４は、図１のバッテリーモジュールの組立工程を説明するための図である。
【００５８】
図７及び図８を参照すれば、前記バッテリーモジュール１０の組立工程時、作業者などは、先ず、前記セルカートリッジ３００の前記バスバー据付け部３３０に前記ブロックバスバー５００を装着し得る。ここで、前記ブロックバスバー５００は、前記バスバー据付け部３３０に、接着剤、テープまたは熱溶着などによって接合され得る。
【００５９】
このような接合装着によって、前記ブロックバスバー５００は、前記溶接ガイド溝３３２をカバーするように配置され、前記ガイドカップリング５６０は、前記カップリング通過溝３３５に対応する位置に配置され得る。図示していないが、前記ガイドカップリング５５０、５７０も、前記カップリング通過溝３３５に対応する位置に配置可能であることは勿論である。
【００６０】
図９〜図１１を参照すれば、その後、前記作業者などは、前記バッテリーセル１００を前記ブロックバスバー５００が据え付けられた前記セルカートリッジ３００に載置し得る。具体的に、一つのバッテリーセル１００を一対のセルカートリッジ３００に載置し得る。より具体的に、前記一つのバッテリーセル１００の前記電池ケース１５０の前記ケーステラス１５６を前記一対のセルカートリッジ３００の上に載置し得る。
【００６１】
以下、前記作業者などは、前記ケーステラス１５６の外へ突出した前記バッテリーセル１００の前記一対の電極リード１３０と、前記セルカートリッジ３００に各々据え付けられたブロックバスバー５００と、をレーザー溶接などで相互結合させ得る。
【００６２】
本実施例の場合、前記バッテリーセル１００の電極リード１３０と前記ブロックバスバー５００との溶接結合が前記バッテリーセル１００の積層前に行われるため、バッテリーセル１００の積層不良や呉組立、組立公差などによる溶接不良の問題が根本的に防止される。
【００６３】
また、本実施例の場合、前記溶接結合時、前記電極リード１３０が曲げられることなく扁平な状態であるため、前記電極リード１３０の曲げによって発生し得る前記溶接結合時の焦点距離誤差及び被着材同士のギャップ発生などの問題を大幅改善することができる。
【００６４】
図１２〜図１４を参照すれば、前記作業者などは、各々のセルカートリッジ３００のブロックバスバー５００と結合したバッテリーセル１００を電気的に接続できるように相互積層し得る。ここで、電気的接続は、直列接続または並列接続を含み得る。
【００６５】
この際、前記バッテリーセル１００の積層は、前記セルカートリッジ３００に備えられる前記ブロックバスバー５００同士の結合によって行われ得る。このような前記ブロックバスバー５００同士の結合は、前記ガイドカップリング５５０、５６０の相互結合によって行われ得る。
【００６６】
即ち、本実施例による前記ガイドカップリング５５０、５６０は、前記バッテリーセル１００の電気的接続と共に前記バッテリーセル１００及び前記セルカートリッジ３００の積層組立をガイドできる。
【００６７】
言い換えれば、前記ガイドカップリング５５０、５６０の相互結合によって前記バッテリーセル１００の電気的接続の外にも前記バッテリーセル１００及び前記セルカートリッジ３００を相互固定することができる。
【００６８】
ここで、前記ガイドカップリング５５０、５６０の相互結合は、前記雄カップリング５５０と前記雌カップリング５６０との結合によって行われ得る。例えば、前記雄カップリング５５０は、前記雌カップリング５６０に押し入れることで装着され得る。
【００６９】
また、前記雄カップリング５５０と前記雌カップリング５６０との結合時、接触抵抗を最小化するように、前記雄カップリング５５０と前記雌カップリング５６０との間に熱伝導接着剤または潤滑油などをさらに充填し得る。
【００７０】
このように、本実施例においては、前記ガイドカップリング５５０、５６０の相互結合によって、前記積層時において対向するバッテリーセル１００が電気的に接続するため、前記の組立工程時、別の電極リード１３０の曲げ工程が省け、全体の前記バッテリーモジュール１０の組立工程の段階を減らすことができる。
【００７１】
また、本実施例による外部電源などとの接続のためのガイドカップリング５７０、即ち、最外郭に配置されるセルカートリッジ３００に備えられるバイカップリング５７０によって、外部電源などともより簡便に電気的接続をなし得る。
【００７２】
一方、本実施例では、前記セルカートリッジ３００が前記バッテリーセル１００の全体ではなく前記バッテリーセル１００の前記電池ケース１５０の一部、即ち、前記ケーステラス１５６の付近のみをカバーするため、前記セルカートリッジ３００による全体のバッテリーモジュール１０内の体積増加を最小化することができる。
【００７３】
これによって、本実施例では、同じサイズに比べてエネルギー密度をより高めることができ、よりスリムでコンパクトなバッテリーモジュール１０を提供することができる。
【００７４】
図１５は、本発明の一実施例によるバッテリーパックを説明するための図であり、図１６は、本発明の一実施例による自動車を説明するための図である。
【００７５】
図１５及び図１６を参照すれば、バッテリーパック１は、前述の実施例による少なくとも一つのバッテリーモジュール１０及び前記少なくとも一つのバッテリーモジュール１０をパッケージングするパックケース５０を含み得る。
【００７６】
前記少なくとも一つのバッテリーモジュールは、前述した実施例の前記バッテリーモジュール１０として備えられ得、複数個が備えられ得る。複数個が備えられる場合、前述した実施例の前記バッテリーモジュール１０と前記バッテリーモジュール１０の集合体として設けられることも可能であることは勿論である。
【００７７】
このような前記バッテリーパック１は、自動車Ｖの燃料源として自動車Ｖに備えられ得る。例えば、前記バッテリーパック１は、電気自動車、ハイブリッド自動車及びその他のバッテリーパック１を燃料源として使用可能なその他の方式で自動車Ｖに備えられ得る。
【００７８】
また、前記バッテリーパック１は、前記自動車Ｖの外にも、二次電池を用いる電力貯蔵装置（Ｅｎｅｒｇｙ  Ｓｔｏｒａｇｅ  Ｓｙｓｔｅｍ）など、その他の装置や器具及び設備などに備えられ得る。
【００７９】
このように、本実施例による前記バッテリーパック１と前記自動車Ｖのような前記バッテリーパック１を備える装置や器具及び設備は、前述の前記バッテリーモジュール１０を含むことから、前述のバッテリーモジュール１０による長所を全て有するバッテリーパック１及びこれを備える自動車Ｖなどの装置や器具及び設備などを具現することができる。
【００８０】
以上のような多様な実施例において、組立工程の効率を高めることができるバッテリーモジュール１０、これを含むバッテリーパック１及びこのバッテリーパック１を含む自動車Ｖを提供することができる。
【００８１】
また、以上のような多様な実施例において、電極リード１３０とブロックバスバー５００との電気的接続のための溶接時における溶接性を改善できるバッテリーモジュール１０、これを含むバッテリーパック１及びこのバッテリーパック１を含む自動車Ｖを提供することができる。
【００８２】
以上、本発明の望ましい実施例について図示及び説明したが、本発明は上述した特定の望ましい実施例に限定されず、請求範囲で請求する本発明の要旨から外れることなく当該発明が属する技術分野における通常の知識を持つ者によって多様に変形できることは言うまでもなく、かかる変形は、本発明の技術的思想や展望から個別的に理解されてはいけない。
【符号の説明】
【００８３】
１  バッテリーパック
１０  バッテリーモジュール
５０  パックケース
１００  バッテリーセル
１１０  電極組立体
１３０  電極リード
１５０  電池ケース
１５２  ケース本体
１５６  ケーステラス
３００  セルカートリッジ
３１０  収容溝
３３０  バスバー据付け部
３３２  溶接ガイド溝
３３５  カップリング通過溝
５００  ブロックバスバー
５５０  ガイドカップリング（雄カップリング）
５５５  結合ガイドリブ
５６０  ガイドカップリング（雌カップリング）
５７０  ガイドカップリング（バイカップリング）
Ｖ  自動車
【図１】
2021501448.tif 000003
【図２】
2021501448.tif 000004
【図３】
2021501448.tif 000005
【図４】
2021501448.tif 000006
【図５】
2021501448.tif 000007
【図６】
2021501448.tif 000008
【図７】
2021501448.tif 000009
【図８】
2021501448.tif 000010
【図９】
2021501448.tif 000011
【図１０】
2021501448.tif 000012
【図１１】
2021501448.tif 000013
【図１２】
2021501448.tif 000014
【図１３】
2021501448.tif 000015
【図１４】
2021501448.tif 000016
【図１５】
2021501448.tif 000017
【図１６】
2021501448.tif 000018
【国際調査報告】
2021501448.tif 000019
2021501448.tif 000020
2021501448.tif 000021
2021501448.tif 000022